(57)【要約】      （修正有）【課題】構成部品数を少なくして、物流コスト、梱包コスト及び管理コスト等が節減できる磁気記録／再生装置のデッキシャーシアセンブリを提供する。【解決手段】デッキシャーシアセンブリ１００は、ムービングデッキが設けられ、両端にはムービングデッキが収容可能な空間が確保されるようにそれぞれ側壁が一体に形成されたベースシャーシ１１０と、両側壁の端部がそれぞれベースシャーシの両側壁の端部に回転自在に組付けされ、ベースシャーシの上部を開閉するハウジングシャーシ１２０と、ハウジングシャーシがベースシャーシに対し一定の角度開閉されるようにし、ハウジングシャーシとベースシャーシとの間に介在したリンク部材１３０とを含む。また、ベースシャーシの一側壁には、ハウジングシャーシの開閉を検知するセンサー１４０が設けられるセンサー座１４１と、センサーを動作させるドグ１４２が形成される。【選択図】図３
2005259338.tif 000002
【特許請求の範囲】
【請求項１】
ムービングデッキが設けられ、前記ムービングデッキが出没できるようにドアを開閉する磁気記録／再生装置のデッキシャーシアセンブリにおいて、
前記ムービングデッキが設けられ、両端には前記ムービングデッキが収容可能な空間が確保されるようにそれぞれ側壁が一体に形成されたベースシャーシと；
両側壁の端部がそれぞれ前記ベースシャーシの両側壁の端部に回転自在に組付けされ、前記ベースシャーシの上部を開閉するハウジングシャーシと；
前記ハウジングシャーシが前記ベースシャーシに対し一定の角度開閉されるようにし、前記ハウジングシャーシと前記ベースシャーシとの間に介在したリンク部材とを含むことを特徴とする磁気記録／再生装置のデッキシャーシアセンブリ。
【請求項２】
前記リンク部材は、一端が前記ベースシャーシの一側壁の前部に回転自在に組付けされた第１のリンクと、一端が前記ハウジングシャーシの一側壁の前部に回転自在に組付けされ、他端が前記第１のリンクの他端と回転自在に組付けされる第２のリンクとを含むことを特徴とする請求項１に記載の磁気記録／再生装置のデッキシャーシアセンブリ。
【請求項３】
前記ベースシャーシの前端には、前記ドアを固定するロック部が形成されたことを特徴とする請求項２に記載の磁気記録／再生装置のデッキシャーシアセンブリ。
【請求項４】
前記ハウジングシャーシは、前記リンク部材が設けられていない側壁には、前記ハウジングシャーシの開閉をガイドするガイド溝が形成され、前記ベースシャーシの対応する側壁には、前記ガイド溝に挿入されるガイドピンが設けられたことを特徴とする請求項２に記載の磁気記録／再生装置のデッキシャーシアセンブリ。
【請求項５】
前記ベースシャーシの一側壁には、前記ハウジングシャーシの開閉を検知するセンサーが設けられるセンサー座部が形成され、前記ハウジングシャーシの対応する一側壁には、前記センサーを動作させるドグが形成されたことを特徴とする請求項４に記載の磁気記録／再生装置のデッキシャーシアセンブリ。
【請求項６】
ムービングデッキが設けられ、前記ムービングデッキが出没できるようにドアを開閉する磁気記録／再生装置のデッキシャーシアセンブリにおいて、
前記ムービングデッキが設けられ、両端には前記ムービングデッキが収容可能な空間が確保されるようにそれぞれ側壁が一体に形成されたベースシャーシと；
両側壁の端部がそれぞれ前記ベースシャーシの両側壁の端部に回転自在に組付けされ、前記ベースシャーシの上部を開閉するハウジングシャーシと；
前記ハウジングシャーシが前記ベースシャーシに対し一定の角度開閉されるようにし、前記ハウジングシャーシと前記ベースシャーシとの間に介在したリンク部材とを含み、
前記リンク部材は一端が前記ベースシャーシの一側壁の前部に回転自在に組付けされた第１のリンクを含むことを特徴とする磁気記録／再生装置のデッキシャーシアセンブリ。
【請求項７】
前記リンク部材は一端が前記ベースシャーシの一側壁の前部に回転自在に組付けされ、他端が前記第１のリンクの他端と回転自在に組付けされる第２のリンクとを含むことを特徴とする請求項６に記載の磁気記録／再生装置のデッキシャーシアセンブリ。
【請求項８】
前記ベースシャーシの前端には、前記ドアを固定するロック部が形成されたことを特徴とする請求項６に記載の磁気記録／再生装置のデッキシャーシアセンブリ。
【請求項９】
前記ハウジングシャーシは、前記リンク部材が設けられていない側壁には、前記ハウジングシャーシの開閉をガイドするガイド溝が形成され、前記ベースシャーシの対応する側壁には、前記ガイド溝に挿入されるガイドピンが設けられたことを特徴とする請求項６に記載の磁気記録／再生装置のデッキシャーシアセンブリ。
【請求項１０】
前記ベースシャーシの一側壁には、前記ハウジングシャーシの開閉を検知するセンサーが設けられるセンサー座部が形成され、前記ハウジングシャーシの対応する一側壁には、前記センサーを動作させるドグが形成されたことを特徴とする請求項６に記載の磁気記録／再生装置のデッキシャーシアセンブリ。
【発明の詳細な説明】
【技術分野】
【０００１】
本発明は、磁気記録／再生装置のデッキメカニズムに係り、より詳しくは、テープカセットがロード／アンロードするムービングデッキが出没自在に収納される磁気記録／再生装置のデッキシャーシアセンブリに係る。
【背景技術】
【０００２】
一般に、磁気記録／再生装置は、磁気テープのような記録媒体に音声や画像情報を書き込み、書き込まれた音声／画像情報を再生する装置であって、ＶＣＲ、カムコーダー等がある。
【０００３】
前記のような磁気記録／再生装置に採用されるデッキメカニズムは、テープカセットを所定の位置に移動させるカセットローディング手段とロードするテープカセットから磁気テープを取り出してヘッドユニットが情報を認識できるように走行させるテープ走行手段を含むムービングデッキと、ムービングデッキが設けられカセットローディング手段が出没できるようにその一端を開閉させるデッキシャーシアセンブリ等を備える。
【０００４】
前記のような構成を有するデッキメカニズムは、通常、制御部に記憶されている所定の制御プログラムにより駆動され、各構成要素の複合的な駆動によりテープカセットのローディング／アンローディング、磁気テープへの情報の記録／再生機能、早送りと戻し等のテープ走行の制御機能を行う。
【０００５】
前記のようなムービングデッキが収納される従来技術による磁気記録／再生装置のデッキシャーシアセンブリの一例が図１に示されている。
【０００６】
図１に示すように、従来技術による磁気記録／再生装置のデッキシャーシアセンブリは、ベースシャーシ１０と、ハウジングシャーシ２０と、左側ブラケット３０と、右側ブラケット４０と、第１のリンク５０と、第２のリンク６０とを含む。
【０００７】
ベースシャーシ１０は、磁気記録／再生装置の本体（図示せず）に固定され、その上部にムービングデッキ（図示せず）が設けられる。
【０００８】
ハウジングシャーシ２０は、ベースシャーシ１０に設けられたムービングデッキのカセットローディング手段がベースシャーシ１０の前端から出没できるように一端を中心に上下に一定の角度回転することによりベースシャーシ１０の前端が開放されるようにする。また、ハウジングシャーシ２０の外側には、ハウジングシャーシ２０が開かないようにするクランプを備えたドア（図示せず）が設けられる。
【０００９】
左側ブラケット３０と右側ブラケット４０は、ハウジングシャーシ２０が磁気記録／再生装置の本体に固定されたベースシャーシ１０の上方に位置し、第１のリンク５０と第２のリンク６０によりベースシャーシ１０に対し一定の角度回転できるように保持するものであって、左側ブラケット３０と右側ブラケット４０の上側端部は、ハウジングシャーシ２０の対応する部分に回転自在に組付けされている。また、左側ブラケット３０と右側ブラケット４０の下側は、それぞれ磁気記録／再生装置の本体に固定される。
【００１０】
第１のリンク５０と第２のリンク６０は、左側ブラケット３０とハウジングシャーシ２０との間に介在し、ハウジングシャーシ２０がベースシャーシ１０に対し一定の角度開閉できるようにする。第１のリンク５０と第２のリンク６０は、それぞれの一端がリベットヒンジにより相互回転自在に組付けされ、それぞれの他端は、ハウジングシャーシ２０及び左側ブラケット３０にリベットヒンジにより回転自在に組付けされている。
【００１１】
また、磁気記録／再生装置の本体に設けられたベースシャーシ１０の前方には、更に、ハウジングシャーシ２０に組み付けられるドアのクランプが係止することでハウジングシャーシ２０が開かないようにするロックブラケット７０が設けられる。このようなロックブラケット７０の一例が図２に示されている。
【００１２】
前記のような構造を有する磁気記録／再生装置のデッキシャーシアセンブリは、ユーザーが手でドアに設けられたクランプがロックブラケット７０から抜けるようにドアを一方に押すと、ハウジングシャーシ２０が左／右側ブラケット３０、４０のリベットヒンジを中心に一定の角度旋回することでハウジングシャーシ２０が開けられるようになる。そうすると、本体内部の所定の部位に設けられたセンサー（図示せず）がこれを検知し、ムービングデッキのカセットローディング手段を突出させるようになる。従って、ユーザーは、ムービングデッキにカセットテープをローディングまたはアンローディングできるようになる。
【００１３】
しかし、このような従来の磁気記録／再生装置のデッキシャーシアセンブリは、ベースシャーシ１０と、ハウジングシャーシ２０と、左側ブラケット３０と、右側ブラケット４０と、第１のリンク５０と、第２のリンク６０と、ロックブラケット７０等の計７つの部品で構成されており、物流コスト、梱包コスト及び管理コストが高くなるという問題点がある。
【００１４】
また、前記デッキシャーシアセンブリは、ベースシャーシ１０と、ハウジングシャーシ２０サブアセンブリと、ロックブラケット７０とをそれぞれ別途に磁気記録／再生装置の本体に組み付けなければならないため、組立時間が多くかかり、組立不良も多く発生するという問題点がある。
【００１５】
特に、従来のデッキシャーシアセンブリは、磁気記録／再生装置を完全に組み立てた後でなければムービングデッキの出没動作をテストすることができないため、デッキメカニズムの構成部品の加工や組立不良が発生した場合、磁気記録／再生装置からデッキメカニズムを再度取り外す必要があるため、製品のテスト及び調整に多くの時間がかかるという問題点もあった。
【発明の開示】
【発明が解決しようとする課題】
【００１６】
本発明は、前記のような問題点に鑑みてなされたものであって、その目的は、構成部品数が少ないため、物流コスト、梱包コスト及び管理コスト等が節減される磁気記録／再生装置のデッキシャーシアセンブリを提供することである。
【００１７】
また、本発明の他の目的は、デッキシャーシアセンブリを別の動作が可能な一つのアセンブリとして磁気記録／再生装置の本体に組付け可能にすることにより、組立時間及び組立不良が減少できる磁気記録／再生装置のデッキシャーシアセンブリを提供することである。
【００１８】
本発明のまた他の目的は、デッキシャーシアセンブリとムービングデッキがサブ組付けされた状態でムービングデッキの動作試験を可能にすることにより、製品のテスト及び調整時間が節減できる磁気記録／再生装置のデッキシャーシアセンブリを提供することである。
【課題を解決するための手段】
【００１９】
前記のような本発明の目的は、ムービングデッキが設けられ、前記ムービングデッキが出没できるようにドアを開閉する磁気記録／再生装置のデッキシャーシアセンブリにおいて、前記ムービングデッキが設けられ、両端には前記ムービングデッキが収容可能な空間が確保されるようにそれぞれ側壁が一体に形成されたベースシャーシと；両側壁の端部がそれぞれ前記ベースシャーシの両側壁の端部に回転自在に組付けされ、前記ベースシャーシの上部を開閉するハウジングシャーシ及び前記ハウジングシャーシが前記ベースシャーシに対し一定の角度開閉されるようにし、前記ハウジングシャーシと前記ベースシャーシとの間に介在したリンク部材とを含むことを特徴とする磁気記録／再生装置のデッキシャーシアセンブリを提供することにより達成される。
【００２０】
この時、前記リンク部材は、一端が前記ベースシャーシの一側壁の前部に回転自在に組付けされた第１のリンク及び一端が前記ハウジングシャーシの一側壁の前部に回転自在に組付けされ、他端が前記第１のリンクの他端に回転自在に組付けされる第２のリンクとを含むことが好ましい。
【００２１】
また、前記ベースシャーシの前端には、前記ドアを固定するロック部が形成されることが好ましい。
【００２２】
なお、前記ハウジングシャーシは、前記リンク部材が設けられていない側壁には、前記ハウジングシャーシの開閉をガイドするガイド溝が形成され、前記ベースシャーシの対応する側壁には、前記ガイド溝に挿入されるガイドピンが設けられることが好ましい。
【００２３】
また、前記ベースシャーシの一側壁には、前記ハウジングシャーシの開閉を検知するセンサーが設けられるセンサー座部が形成され、前記ハウジングシャーシの対応する一側壁には、前記センサーを動作させるドグが形成されることが好ましい。
【発明の効果】
【００２４】
本発明に係る磁気記録／再生装置のデッキシャーシアセンブリによれば、構成部品が従来のデッキシャーシに比べて少ないため、物流コスト、梱包コスト及び管理コスト等を節減することができる。即ち、従来の７つの構成部品からなるデッキシャーシアセンブリが、本発明では、単にベースシャーシ、ハウジングシャーシ、第１のリンク及び第２のリンク等の４つの部品からなる。
【００２５】
また、本発明に係る磁気記録／再生装置のデッキシャーシアセンブリによれば、デッキシャーシアセンブリを独自に動作可能な一つのモジュールにて組み立てた状態で磁気記録／再生装置の本体に組み付けることができるため、組立時間及び組立不良を減少させることができるようになる。
【００２６】
最後に、本発明に係る磁気記録／再生装置のデッキシャーシアセンブリによれば、デッキシャーシアセンブリとムービングデッキがサブ組立された状態で簡単な治具を用いてムービングデッキの動作試験を行うことができる。従って、デッキアセンブリを、磁気記録／再生装置を完全に組み立てていない状態で、サブ組付けされたデッキアセンブリの良否を直ぐ確認し調整することができるため、テスト時間及びデッキアセンブリの調整時間が節減できるようになる。
【発明を実施するための最良の形態】
【００２７】
以下、添付した図面に基づいて、本発明に係る磁気記録／再生装置のデッキシャーシアセンブリの一実施例について説明する。
【実施例】
【００２８】
図３は、本発明に係る磁気記録／再生装置のデッキシャーシアセンブリのハウジングシャーシが開けられた状態を示す斜視図であり、図４は、図３に示すデッキシャーシアセンブリの分解斜視図であり、図５は、図３に示すデッキシャーシアセンブリのハウジングシャーシが閉められた状態を示す斜視図である。
【００２９】
図３乃至図５に示すように、本発明に係る磁気記録／再生装置のデッキシャーシアセンブリ１００は、磁気記録／再生装置の本体に設けられるベースシャーシ１１０と、ベースシャーシ１１０に対し上方に一定の角度開閉することによりベースシャーシ１１０の上部を開閉するハウジングシャーシ１２０と、ハウジングシャーシ１２０とベースシャーシ１１０との間に介在して設けられハウジングシャーシ１２０がベースシャーシ１１０に対し一定の角度開閉されるようにするリンク部材１３０とを含む。
【００３０】
ベースシャーシ１１０の上側には、テープカセット（図示せず）がロード／アンロードするムービングデッキ２１０（図６参照）が設けられ、ベースシャーシ１１０の両側端には、ムービングデッキ２１０が収容可能な空間を確保するための側壁１１２、１１３が一体に形成される。即ち、ベースシャーシ１１０は、略“逆コ”字状になるように板材を成形することが好ましい。この時、ムービングデッキ１２０のキャプスタンモーターが位置する部分１１１ａも図４に示すようにベースシャーシ１１０の底面１１１を一定の深さでドローイング加工することが好ましい。ベースシャーシ１１０の両側壁１１２、１１３の上側端部には、それぞれ後述するハウジングシャーシ１２０をリベットヒンジ１０３に回転自在に組付けするための第１のヒンジ穴１１４、１１５が加工される。また、ベースシャーシ１１０の一側壁１１３には、リンク部材１３０で後述するハウジングシャーシ１２０を一定の角度滑らかに開閉できる位置にリンク部材１３０の一端が回転自在に組付けできる第の２ヒンジ穴１１７が形成される。この他にも、ベースシャーシ１１０の底面１１１には、デッキメカニズムを制御する回路基板２２０（図６参照）を固定するためのタップ穴１１１ｂが複数個形成される。また、ベースシャーシ１１０の一側壁１１２にはベースシャーシ１１０を磁気記録／再生装置の本体に固定させるための固定用穴１１２ａが複数個形成されている。また、ベースシャーシ１１０の底面１１１や両側面１１２，１１３には、タップ穴１１１ｂと固定用穴１１２ａの他にベースシャーシ１１０の強度を害しない範囲内でその重さを減らすために複数個の貫通穴１０１を形成することが好ましい。
【００３１】
また、ベースシャーシ１１０の前端、即ち、ベースシャーシ１１０が磁気記録／再生装置の本体に組み付けられた時、ハウジングシャーシ１２０に組み付けられるドア３００（図７参照）のクランプ３０２（図７参照）が挿入される位置にロック部１１９を成形加工することが好ましい。
【００３２】
ハウジングシャーシ１２０は、略“逆コ”字状に一体に成形され、その幅は、ベースシャーシ１１０の内側に挿入できる大きさに成形される。ハウジングシャーシ１２０の両側壁１２２、１２３の下側端部には、それぞれベースシャーシ１１０とリベットヒンジ１０３に回転自在に組付けできる第３のヒンジ穴１２４、１２５が形成される。また、ハウジングシャーシ１２０の一側壁１２３には、リンク部材１３０でハウジングシャーシ１２０をベースシャーシ１１０に対し一定の角度滑らかに開閉できる位置にリンク部材１３０の一端が回転自在に組付けできる第４のヒンジ穴１２７が形成される。また、ハウジングシャーシ１２０の両側壁１２２、１２３は、ハウジングシャーシ１２０の底面１２１がベースシャーシ１１０の上部を一定の角度開閉する動作をするのに必要な強度さえ維持できれば、適宜の形状に加工してもよい。また、ハウジングシャーシ１２０の底面１２１には、図８に示すように、ドア３００が組み付けられるドア座１２８が設けられている。
【００３３】
一方、ハウジングシャーシ１２０にリンク部材１３０が組み付けられる一側壁１２３の反対側壁１２２には、ハウジングシャーシ１２０の開閉動作をガイドし制限できるように第１のガイド溝１２６を形成することが好ましい。この時、対応するベースシャーシ１１０の側壁１１２には、ハウジングシャーシ１２０の第１のガイド溝１２６をガイドすることができる第１のガイドピン１１６が設けられる。この時、第１のガイドピンは、リベットヒンジを加工して設けることもできる。
【００３４】
リンク部材１３０は、ハウジングシャーシ１２０がベースシャーシ１１０に対し一定の角度開閉できるようにするものであって、多様な構成にすることができるが、本実施例では、第１のリンク１３１と第２のリンク１３２からなる。
【００３５】
第１のリンク１３１の一端の第１の貫通穴１３３は、ベースシャーシ１１０の一側壁１１３に形成された第２のヒンジ穴１１７にリベットヒンジ１０３により回転自在に組付けされ、他端は、第２のリンク１３２の一端とリベットヒンジ１０３により回転自在に組付けされている。第２のリンク１３２の他端の第２のリンク穴１３４は、ハウジングシャーシ１２０の一側壁１２３に形成された第４のヒンジ穴１２７にリベットヒンジ１０３により回転自在に組付けされている。従って、ハウジングシャーシ１２０は、第１のリンク１３１と第２のリンク１３２のリンク運動により一定の角度内でベースシャーシ１１０の上部を開閉することができる。この時、第１のリンク１３１の回転を一定の角度にて制限するために第１のリンク１３１がスピニング組付けされたベースシャーシ１１０の一側壁１１３に第１のガイド溝１３６を形成し、第１のリンク１３１の対応する位置には第２のガイドピン（図示せず）を設けることが好ましい。そうすると、第１のリンク１３１の回転角度が制限されるため、ハウジングシャーシ１２０の開閉動作が滑らかに行われる。
【００３６】
一方、デッキシャーシアセンブリ１００を磁気記録／再生装置の本体に組み付ける前にムービングデッキ２１０を設置しムービングデッキ２１０の動作がテストできるようにするためには、ハウジングシャーシ１２０の開閉を検出するセンサー１４０をデッキシャーシアセンブリ１００に一体に設置することが好ましい。このためには、ベースシャーシ１１０の一側壁１１２にセンサー１４０を設置するためのセンサー座１４１を設け、ハウジングシャーシ１２０には、センサー１４０を動作させるためのドグ１４２を設ける必要がある。本実施例では、図３に示すように、第１のガイドピン１１６が設けられたベースシャーシ１１０の一側壁１１２の外側にセンサー座１４１が形成され、ハウジングシャーシ１２０の対応する側壁１２２には、センサー座１４１に設置されたセンサー１４０を動作させるべくドグ１４２が形成されている。従って、センサー１４０をムービングデッキ２１０を制御する回路基板２２０（図６参照）に接続した後、ムービングデッキ２１０の回路基板２２０に電源が供給可能なテスト治具に接続すれば、磁気記録／再生装置を完全に組み立てていない状態でも独立してハウジングシャーシ１２０の開閉によるムービングデッキ２１０の出没動作を検査することができる。
【００３７】
以下、前記のような構成を有する本発明に係るデッキシャーシアセンブリ１００の組立方法及び作用について、添付した図面を参照して説明する。
【００３８】
まず、ベースシャーシ１１０とハウジングシャーシ１２０とをリベットヒンジ１０３を用いて回転自在に組立する。ここで、リベットヒンジ１０３の組立は、ベースシャーシ１１０の第１のヒンジ穴１１４、１１５とハウジングシャーシ１２０の第３のヒンジ穴１２４、１２５を一致させた後、棒状のリベットヒンジ１０３を嵌めた後、リベッティング機械にリベットヒンジ１０３の両端を圧縮して頭部を加工することによりリベットヒンジ１０３が抜けないようにすることで完成する。そうすると、ハウジングシャーシ１２０とベースシャーシ１１０は、リベットヒンジ１０３を中心に自在に回転できるようになる。この時、ハウジングシャーシ１２０に第１のガイド溝１２６が形成され、ベースシャーシ１１０に第１のガイドピン１１６が設けられた場合には、ベースシャーシ１１０の第１のガイドピン１１６をハウジングシャーシ１２０の第１のガイド溝１２６に挿入された状態でベースシャーシ１１０の両側壁１１２、１１３とハウジングシャーシ１２０の両側壁１２２，１２３のヒンジリベットを行わなければならない。
【００３９】
次いで、第１のリンク１３１と第２のリンク１３２の一端をリベットヒンジ１０３に回転自在に組立した後、第１のリンク１３１の第１のリンク穴１３３は、ベースシャーシ１１０の第２のヒンジ穴１１７にリベットヒンジ１０３に組付けし、第２のリンク１３２の第２のリンク穴１３４は、ハウジングシャーシ１２０の第４のヒンジ穴１２７にリベットヒンジ１０３に組付けする。そうすると、ハウジングシャーシ１２０がベースシャーシ１１０に対し一定の角度範囲で自由に開閉されるようになる。この時、第１のリンク１３１にガイドピンが設けられ、ベースシャーシ１１０の一側壁１１３に第２のガイドピンが備えられ、ベースシャーシ１１０の一側壁１１３に第２のガイド溝１３６が形成された場合には、第１のリンク１３１の第２のガイドピンをベースシャーシ１１３の第２のガイド溝１３６に挿入した後、第１のリンク１３１をベースシャーシ１１０にリベットヒンジ１０３に組付けしなければならない。
【００４０】
最後に、ベースシャーシ１１０のセンサー座１４１にセンサー１４０を組み付けると磁気記録／再生装置のデッキシャーシアセンブリ１００の組立が完了する。
【００４１】
前述したように、ベースシャーシ１１０と、ハウジングシャーシ１２０と、第１のリンク１３１及び第２のリンク１３２を５か所リベットヒンジ１０３に回転自在に組付けを施すと、ユーザーは、ハウジングシャーシ１２０の前端を軽く押す動作のみでハウジングシャーシ１２０をベースシャーシ１１０に対し一定の角度開閉できるようになる。即ち、ハウジングシャーシ１２０の前端を上側に押すと、図３に示すように、ハウジングシャーシ１２０がベースシャーシ１１０に対し一定の角度開けられた状態になり、ハウジングシャーシ１２０の前端を押し上げると、図５に示すように、ハウジングシャーシ１２０がベースシャーシ１１０に対し閉められた状態になる。
【００４２】
このように組み立てられたデッキシャーシアセンブリ１００にムービングデッキ２１０とムービングデッキ２１０を制御する回路基板２２０を組み付けると、図６に示すように、デッキアセンブリ２００の組立が完成する。
【００４３】
以下、添付した図７及び図８に基づいて本発明に係る磁気記録／再生装置のデッキシャーシアセンブリが適用される磁気記録／再生装置の一例としてカメラ用レンズとカムコーダー用レンズをそれぞれ備えたカムコーダー（以下、“デュアルカムコーダー”と称す）について簡略に説明する。
【００４４】
図７に示すように、デュアルカムコーダーは、大別してテープカセット（図示せず）がロード／アンロードするムービングデッキ２１０を含むデッキアセンブリ２００と、ハウジングシャーシ１２０に組み付けられるドア３００、ドア３００のフレーム体に相当する左側ケース体３１０と、左側ケース体３１０の裏面に組み付けられバッテリ４００が装着されるバッテリ装着部４１０と、左側ケース体３１０と共にデュアルカムコーダーの本体をなしカメラ用レンズ５１０を含むカメラユニットがサブ組付けされる右側ケース体５００と、デッキアセンブリ２００の一側に固定されるカムコーダー用レンズユニット６００と、カムコーダー用レンズユニット６００とカメラ用レンズ５１０を固定する前面ケース体７００と、フラッシュ８１０とビューファインダー８２０等が設けられた上側ケース体８００とを含む。
【００４５】
デッキアセンブリ２００は、上述したように、本発明に係るデッキシャーシアセンブリ１００と、デッキシャーシアセンブリ１００に組み付けられたムービングデッキ２１０及び回路基板２２０とを含む。この時、回路基板２２０には、ムービングデッキ２１０を制御するための回路のみならず、カムコーダー用レンズユニット６００を通して動画が撮像できる動画処理回路も含まれている。この状態で左側ケース体３１０をデッキアセンブリ２００に固定し、ドア３００は、ハウジングシャーシ１２０のドア座１２８に組み付ける（図８参照）。この状態でドア３００を押すと、ドア３００の下部の内側に設けられたクランプ３０２がデッキシャーシアセンブリ１００のロック部１１９に係止するようになる。また、ドア３００を開ける場合には、ドア３００の下部の外側に設けられたクランプ解除ボタン３０３を押してクランプ３０２をロック部１１９から離脱させた後、ドア３００を上方に押し上げると、図８に示すようにドア３００が一定の角度開けられるようになる。このように、ドア３００が開けられると、ベースシャーシ１１０の一側に組み付けられたセンサー１４０の前面にハウジングシャーシ１２０のドグ１４２が位置するため、センサー１４０がドア３００が開けられたことを検知し、回路基板２２０に信号を送る。そうすると、回路基板２２０は、ムービングデッキ２１０のカセットローディング手段がベースシャーシ１１０の外側に突出するようにムービングデッキ２１０を制御する。ムービングデッキ２１０のカセットローディング手段が突出すると、ユーザーは、ムービングデッキ２１０にテープカセットをロードしたりアンロードしたりすることができるようになる。その他、ムービングデッキ２１０がテープカセットをヘッドドラム側にロードして磁気テープの走行を制御することは、一般のムービングデッキと同一であるため詳細な説明は省略する。
【００４６】
図８に示すように、デッキアセンブリ２００と左側ケース体３１０及びドア３００がサブ組付けされた状態で右側ケース体５００、カムコーダー用レンズユニット６００、前面ケース体７００及び上側ケース体８００の順に組み付けていくとデュアルカムコーダーの組立が完成する。
【００４７】
以上、本発明の特定の好適な実施例について図示し説明したが、本発明は、上述した特定の実施例に限定されるものではなく、特許請求の範囲で請求する本発明の要旨を逸脱することなく当該発明に属する技術分野において通常の知識を有する者であれば誰でも種々の変形実施が可能であるはずである。
【産業上の利用可能性】
【００４８】
本発明は、テープカセットがロード／アンロードするムービングデッキが出没可能に収納される磁気記録／再生装置のデッキシャーシアセンブリに適用され得る。
【図面の簡単な説明】
【００４９】
【図１】従来技術に係る磁気記録／再生装置のデッキシャーシアセンブリの一例を示す斜視図である。
【図２】従来技術に係る磁気記録／再生装置のデッキシャーシアセンブリにより開閉されるドアをロックするロック部を示す斜視図である。
【図３】本発明に係る磁気記録／再生装置のデッキシャーシアセンブリの一実施例を示す斜視図である。
【図４】図３に示す磁気記録／再生装置のデッキシャーシアセンブリの分離斜視図である。
【図５】図３に示す磁気記録／再生装置のデッキシャーシアセンブリのハウジングシャーシが閉められた状態を示す斜視図である。
【図６】図３に示す磁気記録／再生装置のデッキシャーシアセンブリにムービングデッキと回路基板が組み付けられたデッキアセンブリを示す斜視図である。
【図７】本発明に係る磁気記録／再生装置のデッキシャーシアセンブリを使用するデュアルカムコーダーを複数のサブアセンブリに分離して示す分離斜視図である。
【図８】図７に示すデッキアセンブリにドアまで組み付けた状態を示す斜視図である。
【符号の説明】
【００５０】
１００  デッキシャーシアセンブリ
１０３  リベットヒンジ
１１０  ベースシャーシ
１１２、１１３  ベースシャーシの両側壁
１１６  第１のガイドピン
１１９  ロック部
１２０  ハウジングシャーシ
１２２、１２３  ハウジングシャーシの両側壁
１２６  第１のガイド溝
１２８  ドア座
１３０  リンク部材
１３１  第１のリンク
１３２  第２のリンク
２００  デッキアセンブリ
２１０  ムービングデッキ
２２０  回路基板
３００  ドア
３１０  左側ケース体
４００  バッテリ
４１０  バッテリ装着部
５００  右側ケース体
６００  カムコーダー用レンズユニット
７００  前面ケース体
８００  上側ケース体
【図１】
2005259338.tif 000003
【図２】
2005259338.tif 000004
【図３】
2005259338.tif 000005
【図４】
2005259338.tif 000006
【図５】
2005259338.tif 000007
【図６】
2005259338.tif 000008
【図７】
2005259338.tif 000009
【図８】
2005259338.tif 000010